(57)【要約】【課題】メモリーカードの幅方向の寸法を小さくしたカード用コネクタを提供する。【解決手段】複数の端子５が並列して装着された絶縁ハウジング３と、頂板４１と、頂板４１の両側縁から垂下した一対の側板４２、４３とを有しているメタルシェル４とを備え、絶縁ハウジング３にメタルシェル４が組み付けられて、メタルシェル４の頂板４１で上側が、そして、メタルシェル４の側板４２、４３で両側が仕切られたカード受入空洞１１が形成されて、メモリーカードの挿入・抜去を可能にしていると共に、カード受入空洞１１の一側縁下部に沿って、プッシュ／プッシュ形式のカードイジェクト機構２が設けられている。【選択図】  図１
2004327149.tif 000002
【特許請求の範囲】
【請求項１】
複数の端子（５）が並列して装着された絶縁ハウジング（３）と、
頂板（４１）と、頂板（４１）の両側縁から垂下した一対の側板（４２、４３）とを有しているメタルシェル（４）とを備え、
絶縁ハウジング（３）にメタルシェル（４）が組み付けられて、メタルシェル（４）の頂板（４１）で上側が、そして、メタルシェル（４）の側板（４２、４３）で両側が仕切られたカード受入空洞（１１）が形成されて、メモリーカード（６）の挿入・抜去を可能にしていると共に、
カード受入空洞（１１）の一側縁下部に沿って、プッシュ／プッシュ形式のカードイジェクト機構（２）が設けられていることを特徴とするカード用コネクタ。
【請求項２】
前記プッシュ／プッシュ形式のカードイジェクト機構（２）は、ハートカム溝（２１３）が設けられたカムスライダー（２１）を備え、ハートカム溝（２１３）をメタルシェル（４）の側板（４２）と対向させて設置されている請求項１に記載のカード用コネクタ。
【請求項３】
前記プッシュ／プッシュ形式のカードイジェクト機構（２）は、ハートカム溝（２４３）が設けられたカムスライダー（２４）を備え、ハートカム溝（２４３）を下向きとして設置され、メタルシェル（４）の側板（４２）下縁から折り返された底板（４６）と対向している請求項１に記載のカード用コネクタ。
【請求項４】
前記プッシュ／プッシュ形式のカードイジェクト機構（２）は、ハートカム溝（２１３、２４３）が設けられたカムスライダー（２１、２４）を備え、
カムスライダー（２１、２４）の上面に、メモリーカード（６）の側縁の下面に下方から対向して、メモリーカード（６）のロック凹部（６１）と係脱するロック突起（２１４、２４４）が設けられており、
カムスライダー（２１、２４）が、ロック突起（２１４、２４４）が前記ロック凹部（６１）と係脱する際の傾動が可能となるように設置されている請求項１〜３の何れかに記載のカード用コネクタ。
【請求項５】
前記カムスライダー（２１）は、下面側に、傾動を可能とする空隙を確保して設置されている請求項４に記載のカード用コネクタ。
【請求項６】
前記カムスライダー（２４）は、下面側に、傾動を可能とする傾斜面（２４６）が形成されている請求項４に記載のカード用コネクタ。
【請求項７】
前記メタルシェル（４）の頂板（４１）内に、カムスライダー（２１、２４）の傾動を復帰させるためのばね手段（４１１、４１２）が設けられて、カムスライダー（２１、２４）の上面と対向している請求項４〜６の何れかに記載のカード用コネクタ。
【請求項８】
前記メタルシェル（４）の頂板（４１）内に設けられたばね手段は、頂板（４１）内に打抜かれた両持ちばね片（４１１）又は片持ちばね片（４１２）で構成された請求項７に記載のカード用コネクタ。
【請求項９】
前記カード受入空洞（１１）の下部の、前記カードイジェクト機構（２）に隣接する空きスペース（１３）が、電子部品収容空間とされる請求項１〜８の何れかに記載のカード用コネクタ。
【請求項１０】
メモリーカード（６）を挿入・抜去可能としたカード受入空洞（１１）と、
カード受入空洞（１１）に挿入されたメモリーカード（６）を抜去するための、プッシュ／プッシュ形式のカードイジェクト機構（２）を備えており、
カードイジェクト機構（２）を構成したカムスライダー（２１、２４）の前端側上面に設けたロック突起（２１４、２４４）が、前記カード受入空洞（１１）の一側に下方から突出して臨んで、メモリーカード（６）の側縁に設けられたロック凹部（６１）に係脱可能としてあると共に、
カムスライダー（２１、２４）が、後端側を支点として上下方向で傾動して、ロック突起（２１４、２４４）がカード受入空洞（１１）から退避できるようにしていることを特徴とするカード用コネクタ。
【請求項１１】
前記カムスライダー（２１、２４）は、後端側上面がばね手段（４１１、４１２）と対向しており、ばね手段（４１１、４１２）を介して前記傾動が復帰できるようにした請求項１０に記載のカード用コネクタ。
【請求項１２】
前記カード受入空洞（１１）は、頂板（４１）と、頂板（４１）から垂下した一対の側板（４２、４３）を有するメタルシェル（４）で仕切られており、頂板（４１）にカムスライダー（２１、２４）の傾動を復帰させるためのばね手段（４１１、４１２）が設けられている請求項１１に記載のカード用コネクタ。
【請求項１３】
前記ばね手段は、頂板（４１）内に打抜かれた両持ちばね片（４１１）又は片持ちばね片（４１２）で構成された請求項１２に記載のカード用コネクタ。
【請求項１４】
前記ばね手段（４１１、４１２）は、カムスライダー（２１、２４）に対する反力が、カムスライダー（２１、２４）のスライド位置によって変化する請求項１１〜１３の何れかに記載のカード用コネクタ。
【発明の詳細な説明】
【０００１】
【発明の属する技術分野】
この発明は、携帯電話機、デジタルスチルカメラ、ＰＤＡ（Ｐｅｒｓｏｎａｌ  Ｄｉｇｉｔａｌ  Ａｓｓｉｓｔａｎｃｅ）等々の小型電子機器で使用されるメモリーカードのためのカード用コネクタに関する。カード用コネクタが上記小型電子機器に搭載され、メモリーカードが挿入・抜去可能にされる。
【０００２】
【従来の技術】
従来、この種のカード用コネクタは、主として、絶縁ハウジングとメタルシェルとで構成されている。絶縁ハウジングは、本体部と、本体部の両端から略直角に延びる一対の側壁部とで略Ｕ字形に形成されて、本体部には複数の端子が並列して装着される。メタルシェルは、絶縁ハウジングの上側を覆う頂板と、頂板の側縁から略直角に垂下する側板を有した構成とされて、絶縁ハウジングに組み付けられる。
【０００３】
絶縁ハウジングにメタルシェルを組み付けることで、絶縁ハウジングの側壁間に、上部がメタルシェルの頂板で仕切られたカード受入空洞が形成され、このカード受入空洞にメモリーカードを挿入・抜去するようにしている。前記端子のコンタクト片がカード受入空洞の奥に臨むようにされ、メモリーカードを挿入すると、コンタクト片とメモリーカードの接点が所定の接圧で係合し、電気的に接続されるようにしている（特許文献１〜５参照）。
【０００４】
カード受入空洞に挿入したメモリーカードの抜去のために、通常、カードイジェクト機構が設けられている。このカードイジェクト機構は、ハートカム溝が設けられたカムスライダーと、ハートカム溝と係合するピン部材と、カムスライダーをメモリーカードの抜去方向に常時付勢するばね部材（コイルスプリング等）を主要な構成要素とするプッシュ／プッシュ形式の機構とするものが多い（特許文献１〜５参照）。
この他に、回動可能に設置された離脱レバーと、この離脱レバーを回動させるためのスライド板とで構成された、プッシュ／プッシュ形式以外の形式のカードイジェクト機構も知られている（特許文献６参照）。
【０００５】
【特許文献１】
特開２００１−８５０８９号公報  （図１〜３）
【特許文献２】
特開２００１−２５７０２９号公報  （図１〜３）
【特許文献３】
特開２００１−２９１５５２号公報  （図１）
【特許文献４】
特開２００２−８３６５１号公報  （図１、７）
【特許文献５】
特開２００２−２３７３５１号公報  （図２、４、５）
【特許文献６】
特開平１０−１４４４２２号公報  （図１、３、４）
【０００６】
【発明が解決しようとする課題】
ところで、近年のデジタルスチルカメラ、携帯電話機、ＰＤＡ等の小型電子機器は、更なる小型化が進行しており、もはやカード用コネクタの大きさは、使用されるメモリーカードと同等の幅しか有しないものも要求されるに至っている。上記で述べた従来のカード用コネクタでは、Ｕ字形に成形された絶縁ハウジングの側壁がカード受入空洞の両側を仕切っている構成であったので、側壁の厚みおよびメタルシェルの側板の厚みがカード受入空洞の両側に存在しており、小型化の要求に対応することが困難となっていた。
【０００７】
この発明は、このような状況に鑑みてなされたもので、メモリーカードの幅方向の寸法を小さくしたカード用コネクタを提供することを目的としている。
【０００８】
【課題を解決するための手段】
かかる目的のもとになされたこの発明のカード用コネクタは、複数の端子が並列して装着された絶縁ハウジングと、
頂板と、頂板の両側縁から垂下した一対の側板とを有しているメタルシェルとを備え、
絶縁ハウジングにメタルシェルが組み付けられて、メタルシェルの頂板で上側が、そして、メタルシェルの側板で両側が仕切られたカード受入空洞が形成されて、メモリーカードの挿入・抜去を可能にしていると共に、
カード受入空洞の一側縁下部に沿って、プッシュ／プッシュ形式のカードイジェクト機構が設けられていることを特徴としている。
【０００９】
以下の実施形態で説明するように、前記プッシュ／プッシュ形式のカードイジェクト機構は、ハートカム溝が設けられたカムスライダーを備えている。このカムスライダーは、ハートカム溝を横向きにしてメタルシェルの側板と対向させて設置したり、ハートカム溝を下向きにしてメタルシェルの側板下縁から折り返された底板と対向させて設置することができる。
【００１０】
また、このようなカムスライダーには、その上面に、メモリーカードの側縁の下面に下方から対向して、メモリーカードのロック凹部と係脱するロック突起を設け、そして、カムスライダーを、ロック突起が前記ロック凹部と係脱する際の傾動が可能となるように設置することができる。このカムスライダーの傾動を可能とする手段には、カムスライダーの下面側に、傾動を可能とする空隙を確保したり、カムスライダーの下面側に傾斜面を形成する手段がある。
【００１１】
更に、前記ロック突起がメモリーカードのロック凹部と係脱する際の、カムスライダーの傾動を復帰させるために、カムスライダーの上面と対向するメタルシェルの頂板内には、ばね手段を設けることができる。このばね手段は、頂板内に打抜かれた両持ちばね片や片持ちばね片によって構成することができる。
【００１２】
【作用】
このように構成したこの発明のカード用コネクタによれば、プッシュ／プッシュ形式のカードイジェクト機構が、カード受入空洞の一側縁下部に沿って設けられ、カード受入空洞の両側は、メタルシェルの側板で仕切られた構成であるので、メモリーカードの幅方向における寸法を、実質的に、メモリーカードの幅寸法にメタルシェルの板厚（×２）を加えただけの寸法とすることができる。
【００１３】
【発明の実施の形態】
以下、この発明の実施形態について、添付の図を参照して説明する。
【００１４】
図１は、第１の実施形態のカード用コネクタ１を、カードイジェクト機構２の部分が表れるように破切して示してある。破切しない状態のものが図２に示してある。更に、図５〜図１０には平面図その他の６面図が示してあり、図１１〜図１３には部分断面図が示してある。
【００１５】
カード用コネクタ１は、絶縁ハウジング３と、メタルシェル４を備えている。絶縁ハウジング３は、絶縁性のプラスチックを成形したもので、図３、４に示したような形状をしている。メタルシェル４は、金属板を打抜いて図１、２に表れているように成形したものである。
【００１６】
絶縁ハウジング３は、方形の板の前縁側（図３において右手前）がＵ字形に切欠された底壁部３１を有し、底壁部３１の後縁に沿って、以下で述べる端子５が装着される本体部３２が一体に立設してある。底壁部３１の一側縁下側には、断面Ｌ字形のスライド壁３３が一体に形成されて、ここにカードイジェクト機構２を設置できるようにしてある。また、底壁部３１の、前縁側両側には、下側に突出するようにして補強金具装着ブロック３４が一体に設けてある。この補強金具装着ブロック３４の下面と前記スライド壁３３の下面は略面一とされている。更に、底壁部３１の後縁側の一つのコーナー部分には、図４に表れているように、スタンドオフ３５が設けられている。スタンドオフ３５の下面も、スライド壁３３の下面と略面一とされている。したがって、底壁部３１が、補強金具装着ブロック３３およびスタンドオフ３５と、スライド壁３３の上に乗っている構成となっている。
【００１７】
絶縁ハウジング３の本体部３２には、複数の端子装着孔３２１が並列して設けられ、各端子装着孔３２１には、端子５が装着されている。端子５は、導電性の薄金属板を打抜いて成形したもので、図１１に示されているように、端子装着孔３２１に係合する装着片５１の一端からコンタクト片５２が片持ち梁状となって延び、装着片５１の他端からＬ字形の半田テイル５３が延びた形状をしている。コンタクト片５２が、絶縁ハウジング３の底壁３１の上面に沿って延びるように装着され、先端部に屈曲成形されたコンタクト部５２１が上方に向いている。
【００１８】
メタルシェル４は、絶縁ハウジング３を略覆う大きさとされた方形板で、前縁をＵ字形に浅く切欠されている頂板４１と、頂板４１の両側縁から、それぞれ略垂直に垂下している一対の側板４２、４３とを有している。このようなメタルシェル４が、絶縁ハウジング３に組み付けられて、絶縁ハウジング３とメタルシェル４との間にカード受入空洞１１（図１）が形成されている。カード受入空洞１１は、上側がメタルシェル４の頂板４１で仕切られ、下側が絶縁ハウジング３の底壁部３１で仕切られている。また、カード受入空洞１１の両側は、メタルシェル４の側板４２、４３で仕切られている。カード受入空洞１１は、前端側が開口してカード挿入口１２を形成しており、ここからメモリーカード６（図１５〜１８参照）を挿入し、また抜去することができるようにしている。
【００１９】
カード受入空洞１１の一方（図１において手前側）の側部を仕切っているメタルシェル４の側板４２は、その全長に亘って同一の高さを有しており、補強金具装着ブロック３４の外側面を覆っていると共に、スライド壁３３と対向して、スライド壁３３と側板４２の間に、前記カードイジェクト機構２を収容するスペースを形成している。これに対して、メタルシェル４の他方の側板４３は、図８に表れているように、両端部だけが側板４２と同一の高さを有し、補強金具装着ブロック３４とスタンドオフ３５の外側面を覆っている。側板４３の中間部は下縁側が切欠されて、カード受入空洞１１の側部を仕切る部分だけが残されている。
【００２０】
絶縁ハウジング３に組み付けられたメタルシェル４を固定する目的で、側板４２、４３の前端部には、係合片４４、４５が設けられている。側板４２に設けた係合片４４は、図１３に示されているように、補強金具装着ブロック３４に装着した補強金具３６に重なって係合するようにしてあり、補強金具３６とメタルシェル４を電気的に導通させてメタルシェル４のアースが取れるようにしてある。側板４３に設けた係合片４５は、図１２に示されているように、補強金具装着ブロック３４に形成した係合穴３４１に圧入して係合する形状としてある。
【００２１】
絶縁ハウジング３のスライド壁３３と、メタルシェル４の側板４２によって形成されたカードイジェクト機構２を収容するスペースは、カード受入空洞１１の一側縁下部に形成されて、上側が開放しており、カード受入空洞１１に連通している。このスペースに、図１に表れているように、カムスライダー２１と、ピン部材２２と、コイルスプリング２３を主要な構成要素とするカードイジェクト機構２が設置されている。
【００２２】
カムスライダー２１は、絶縁性のプラスチックを図１４に示したように成形したもので、上面が絶縁ハウジング３の底壁部３１の上面と略面一となるブロック状の本体部２１１と、本体部２１１の後端に連続して、カード受入空洞１１側に突出するカード係合部２１２とを有している。このようなカムスライダー２１が、スライド壁３３に沿って前後方向でスライド可能に設置されている。本体部２１１の外側面にはハートカム溝２１３が形成され、また、前端部上面にはロック突起２１４が形成されている。
【００２３】
ピン部材２２は、一端が絶縁ハウジング３の補強金具装着ブロック３４にピボット係合し、他端が前記カムスライダー２１のハートカム溝２１３に係合して設置されており、ハートカム溝２１３に係合している他端がハートカム溝２１３に沿って相対移動ができるようにされている。このピン部材２２のピボット係合と、ハートカム溝２１３との係合が常時維持されて外れないようにするために、メタルシェル４の側板４２内には、図２、７に表れているような片持ちばね片４２１が打抜かれている。片持ちばね片４２１がピン部材２２をカムスライダー２１側に付勢している。
【００２４】
コイルスプリング２３は、カムスライダー２１と、絶縁ハウジング３の後壁３７との間に弾発状態で設置されている。したがって、カムスライダー２１は、絶縁ハウジング３の前縁方向、即ち、カード受入空洞１１のカード挿入口１２の方向に常時付勢されている。
【００２５】
スライド可能に設置されているカムスライダー２１の本体部２１１は、その上面が絶縁ハウジング３の底壁部３１の上面と面一とされてカード受入空洞１１に露出し、前端側に形成したロック突起２１４が、カード受入空洞１１側に突出している。したがって、カード受入空洞１１にメモリーカード６を挿入する時には、メモリーカード６の挿入方向前端がロック突起２１４の緩傾斜面２１４ａを下圧して、ロック突起２１４を下方に押し出すことになる。このようなロック突起２１４のカード受け入れ空洞１１からの退避を可能とするために、カムスライダー２１は後端側を支点として上下に傾動できるようにされている。即ち、カムスライダー２１を支持しているスライド壁３３の底片３３１に、図３、４、６に表れているような長方形状の逃げ穴３３２が形成され、カムスライダー２１の前端側（本体部２１１の一部）が逃げ穴３３２に落ち込むことが可能とされている。
【００２６】
更に、上記の如くのカムスライダー２１の傾動に対し、これを復帰させるためのばね手段が設けられている。図２、５に表れているように、メタルシェル４の頂板４１内に両持ちばね片４１１が打抜いてあり、カムスライダー２１の後端側上面と対向するようにしてある。カムスライダー２１の後端側上面には、図１、１４に示すように、小突起２１５が形成してあり、カムスライダー２１が傾動する時、小突起２１５が両持ちばね片４１１を押し上げて弾性変形させ、その反力を得るようにしてある。図１に示されているカムスライダー２１の位置は、カード受入空洞１１にメモリーカード６が挿入されるのを待機している位置となっているものであるが、この状態において、カムスライダー２１の小突起２１５は両持ちばね片４１１の略中央で対向する位置関係となっている。つまり、両持ちばね片４１１の弾性変形が最も容易な位置に対向している。
【００２７】
前記カード受入空洞１１は、図１５〜１８に示してあるように、幅がメモリーカード６の幅に略等しく、また、高さもメモリーカード６の厚みに略等しくされている。この結果、カード用コネクタ１全体の幅は、メモリーカード６の幅にメタルシェル４の一対の側板４２、４３の板厚を加えただけの寸法となっている。加えて、カード受入空洞１１の下側を仕切っている絶縁ハウジング３の底壁部３１は、スライド壁３３と補強金具装着ブロック３４およびスタンドオフ３５で支持されて、底壁部３１の下側に空きスペース１３（図９）を形成している。したがって、カード用コネクタ１をプリント基板などの取付基板に実装した場合には、この空きスペース１３を他の小型電子部品の実装スペースとして利用することを可能とし、取付基板の実装密度の向上が図れるようになっている。
【００２８】
次に、以上のように構成されている第１の実施形態のカード用コネクタ１にメモリーカード６を挿入する時のカードイジェクト機構２の動作について、図１５〜１８を参照して説明する。
【００２９】
図１のメモリーカード６が挿入されるのを待機しているカード用コネクタ１に対して、メモリーカード６を挿入することができる。メモリーカード６の前端を前方としてカード挿入口１２を通してカード受入空洞１１へ図１５のように挿入する。メモリーカード６を挿入すると、先ず、前端一側がカムスライダー２１のロック突起２１４の緩傾斜面２１４ａに乗り上げるようにして、ロック突起２１４を下圧し、カムスライダー２１を傾動させる。
【００３０】
更にメモリーカード６の挿入を続けると、図１６のように、メモリーカード６の前端一側がカムスライダー２１のカード係合部２１２に係合すると共に、メモリーカード６の側縁下面に設けられたロック凹部６１がロック突起２１４と対向する。ロック凹部６１とロック突起２１４が対向すると、カムスライダー２１の傾動が前記両持ちばね片４１１の反力で復帰し、ロック突起２１４がロック凹部６１に突入して、メモリーカード６を仮ロックする。
【００３１】
仮ロックされたメモリーカード６を最終の挿入位置まで挿入したのが図１７である。この状態を一般にオーバーストロークと言っている。カムスライダー２１もメモリーカード６と一体となってスライドし、コイルスプリング２３を圧縮しながら後端方向、即ちカード受入空洞１１の奥の方向へ移動する。
【００３２】
上記のオーバーストロークの状態で、メモリーカード６に加えた挿入力を解除する。挿入力を解除すると、コイルスプリング２３の弾発力で、メモリーカード６とカムスライダー２１がカード挿入口１２の方向へ押し戻される。この押し戻しは、カムスライダー２１に形成したハートカム溝２１３とピン部材２２の係合関係で、一定の位置、即ち、メモリーカード６の前端下面に設けられている接点（図示せず）と端子５に形成されたコンタクト部５２１が適正に当接係合する接続位置で停止する。
【００３３】
メモリーカード６が上記の接続位置で停止した状態では、メモリーカード６と共にスライドしたカムスライダー２１の小突起２１５は、メタルシェル４の頂板４１に形成した両持ちばね片４１１の基部、即ち、頂板４１と連続する部分に近い部分で対向している。したがって、カムスライダー２１を傾動させるために必要な力は、先の仮ロック時に比べて大きな力を必要とするようになっている。また、メモリーカード６のロック凹部６１は、ロック突起２１４の急傾斜面２１４ｂと対向している。このようにして、接続位置にあるメモリーカード６は、強くロックされ、不用意に抜去方向へ移動しないようにされている。
【００３４】
しかしながら、ロック状態とされたメモリーカード６を無理に引き抜こうとする事態も想定される。この点、実施形態のカード用コネクタ１の場合、メモリーカード６が前記ロック突起２１４の急傾斜面２１４ｂに沿って乗り上げてカムスライダー２１を傾動させ、そして、前記両持ちばね片４１１を弾性変形させるのに必要な力で無理に引き抜いた場合には、無理抜きが可能となっている。即ち、カード用コネクタ１がメモリーカード６の無理抜きで破壊されることが無いようになっている。
【００３５】
メモリーカード６を仮ロックさせる際に必要な挿入力は、前記ロック突起２１４の緩傾斜面２１４ａの勾配と、前記両持ちばね片４１１のばね乗数によって決まる。また、メモリーカード６の無理抜きを許容する抜去力は、ロック突起２１４の急傾斜面２１４ｂの勾配と、両持ちばね片４１１のばね乗数によって決まる。つまり、仮ロック時の挿入力および無理抜きを許容する抜去力を、ロック突起２１４の形状と両持ちばね片４１１のばね乗数で設定することができる構造となっている。
【００３６】
接続位置のメモリーカード６を正規に抜去するには、メモリーカード６を、再び前記オーバーストロークの位置（図１７）まで押し込むようにする。その後、押し込む力を解除すると、ハートカム溝２１３とピン部材２２の係合関係が変化し、カムスライダー２１とメモリーカード６は、コイルスプリング２３の弾発力で図１６の仮ロックの位置まで押し戻され、メモリーカード６を正規に抜去することができる。
【００３７】
尚、図５には、メモリーカード６の後端が三つの位置で示されている。即ち、後端６２ａは、オーバーストロークの状態の後端の位置、後端６２ｂは、接続状態の後端の位置、そして、後端６２ｃは、仮ロック状態の後端の位置をそれぞれ示している。
【００３８】
図１９は、実施形態のカード用コネクタ１が、メモリーカード６の誤挿入を防止できることを示している。メモリーカード６が、後端６２を挿入方向で前方とし、前端６３を後方として挿入されている。このような逆差しが行われると、後端６２が絶縁ハウジング３の底壁部３１に設けた誤挿入防止リブ３８に当たり、それ以上の挿入を阻止できるようになっている。誤挿入防止リブ３８は、絶縁ハウジング３を単体で示した図３にも表れている。
【００３９】
メモリーカード６の前端６３の一側には、極性決めとしてのノッチ部６４が形成されている。メモリーカード６が前後を正しくして挿入された場合には、ノッチ部６４誤挿入防止リブ３８と干渉することがなく、前記のオーバーストロークの位置までの挿入を可能としている。メモリーカード６の前後は正しくされても、表裏を反対とする誤挿入がされると、ノッチ部６４と誤挿入防止リブ３８が対向しない。したがって、表裏を反対にした誤挿入も誤挿入防止リブ３８で阻止できるようになっている。
【００４０】
図２０には、前記カムスライダー２１の傾動を復帰させるばね手段の別の例が示されている。この例では、メタルシェル４の頂板４１内に、片持ちばね片４１２が打抜かれて、カムスライダー２１の後端側上面と対向するようにしている。
【００４１】
次に、この発明の第２の実施形態を図２１以下を参照して説明する。この第２の実施形態のカード用コネクタ１は、カードイジェクト機構２の周りが第１の実施形態と異なっている。その他の部分は、第１の実施形態と略同様であるので、先に用いた符号を図に付すことで、詳細な説明は省略する。
【００４２】
この第２の実施形態のカード用コネクタ１も、カード受入空洞１１が、上側をメタルシェル４の頂板で仕切られ、そして、両側がメタルシェル４の側板４２、４３で仕切られている。また、カードイジェクト機構２は、カード受入空洞１１の一側下部に設置されている。
【００４３】
カードイジェクト機構２は、前記と同様に、カムスライダー２４と、ピン部材２２と、コイルスプリング２３を主要な構成要素としているが、カムスライダー２４が第１の実施形態のカムスライダー２１と異なっている。即ち、カムスライダー２４は、本体部２４１の下面にハートカム溝２４３が設けられており、ピン部材２２は、カムスライダー２４の下側に設置されている。
【００４４】
カムスライダー２４の下側に設置されたピン部材２２をカムスライダー２４へ向けて付勢するために、メタルシェル４の側板４２の下縁から、図２３に表れているように、底板４６が折り返され、この底板４６内に片持ちばね片４６１が打抜かれている。このため、絶縁ハウジング３のスライド壁３３は、第１の実施形態のように底片３３１は有しておらず、垂下片３３３のみで構成されている（図２２）。
【００４５】
また、カムスライダー２４の傾動を可能とするために、前記ハートカム溝２４３が設けられた本体部２４１の下面に傾斜面２４６が形成されている。カムスライダー２４の傾動によって、本体部２４１の上面に設けられたロック突起２４４がカード受入空洞１１から退避できるようになっている。
【００４６】
図２４および図２５には、第２の実施形態のカード用コネクタ１にメモリーカード６を挿入して、仮ロックされるまでの様子が示されている。図２４は、先の図１５に対応しており、メモリーカード６を挿入した初期の状態を表している。メモリーカード６の挿入によって、カムスライダー２４が傾動している。図２５は、メモリーカード６がカムスライダー２４のロック突起２４４で仮ロックされた状態を表している。
【００４７】
第１の実施形態と第２の実施形態を比較すると、第２の実施形態は、上記のように側板４２に底板４６を連設した結果、頂板４１から底板４６に亘る部分を横Ｕ字形（コ字形）となって、メタルシェル４の剛性を増し、また、メタルシェル４の絶縁ハウジング３への組み付けが、前後方向でスライドさせて可能なことから組立性の点で有利と言える。
【００４８】
カムスライダー２４のハートカム溝２４３を本体部２４１の下面に設けた第２の実施形態は、カムスライダー２１の本体部２１１の外側面にハートカム溝２１３を設けた第１の実施形態に比べて、カムスライダー２４並びにカードイジェクト機構２の高さを低く抑えることができるので、カード用コネクタ１の低背化の点で有利となっている。この反面、絶縁ハウジング３の底壁部３１の下に形成される空きスペース１３の幅は、カムスライダー２１、２４の幅と高さの関係で、第２の実施形態に比べて第１の実施形態の方が大きくできる。したがって、取付基板の実装密度の向上の点では、第１の実施形態が有利となっている。
【００４９】
【発明の効果】
以上に説明した通り、この発明によれば、カード受入空洞の一側縁下部にカードイジェクト機構を設けた構成としたので、メモリーカードの幅と略同等の幅のカード用コネクタを提供することができる。
【図面の簡単な説明】
【図１】この発明の第１の実施形態のカード用コネクタの一部を破切した斜視図である。
【図２】同じく、第１の実施形態のカード用コネクタの斜視図である。
【図３】第１の実施形態の絶縁ハウジングの、上方から見た斜視図である。
【図４】同じく、第１の実施形態の絶縁ハウジングの、下方から見た斜視図である。
【図５】第１の実施形態のカード用コネクタの平面図である。
【図６】同じく底面図である。
【図７】同じく左側面図である。
【図８】同じく右側面図である。
【図９】同じく正面図である。
【図１０】同じく背面図である。
【図１１】図５中のＡ―Ａ線に沿って示した拡大断面図である。
【図１２】図５中のＢ―Ｂ線に沿って示した拡大断面図である。
【図１３】図５中のＣ―Ｃ線に沿って示した拡大断面図である。
【図１４】第１の実施形態のカムスライダーの斜視図である。
【図１５】第１の実施形態のカード用コネクタのカード受入空洞にメモリーカードを挿入した初期の状態の説明図である。
【図１６】カード受入空洞に挿入したメモリーカードが仮ロックされた状態の説明図である。
【図１７】メモリーカードがオーバーストロークの位置まで挿入された状態の説明図である。
【図１８】メモリーカードが接続位置でロックされた状態の説明図である。
【図１９】第１の実施形態のカード用コネクタが、メモリーカードの誤挿入を阻止している状態の、一部を破切した平面図である。
【図２０】メタルシェルの頂板内に設けられるばね手段の別の例を示している斜視図である。
【図２１】この発明の第２の実施形態のカード用コネクタの、一部を破切して示した上方斜視図である。
【図２２】同じく第２の実施形態のカード用コネクタの、一部を破切して示した下方斜視図である。
【図２３】第２の実施形態のカード用コネクタの底面図である。
【図２４】第２の実施形態のカード用コネクタのカード受入空洞にメモリーカードを挿入した初期の状態の説明図である。
【図２５】カード受入空洞に挿入したメモリーカードが仮ロックされた状態の説明図である。
【符号の説明】
１          カード用コネクタ
１１        カード受入空洞
１２        カード挿入口
１３        空きスペース
２          カードイジェクト機構
２１        カムスライダー
２１１      本体部
２１２      カード係合部
２１３      ハートカム溝
２１４      ロック突起
２１４ａ    緩傾斜面
２１４ｂ    急傾斜面
２１５      小突起
２２        ピン部材
２３        コイルスプリング
２４        カムスライダー
２４１      本体部
２４３      ハートカム溝
２４４      ロック突起
２４６      傾斜面
３          絶縁ハウジング
３１        底壁部
３２        本体部
３２１      端子装着孔
３３        スライド壁
３３１      底片
３３２      逃げ穴
３３３      垂下片
３４        補強金具装着ブロック
３４１      係合穴
３５        スタンドオフ
３６        補強金具
３７        後壁
３８        誤挿入防止リブ
４          メタルシェル
４１        頂板
４１１      両持ちばね片
４１２      片持ち羽片
４２        側板
４２１      片持ちばね片
４３        側板
４４        係合片
４５        係合片
４６        底板
４６１      片持ちばね片
５          端子
５１        装着片
５２        コンタクト片
５２１      コンタクト部
５３        半田テイル
６          メモリーカード
６１        ロック凹部
６２、６２ａ、ｂ、ｃ    後端
６３        前端
６４        ノッチ部
【図１】
2004327149.tif 000003
【図２】
2004327149.tif 000004
【図３】
2004327149.tif 000005
【図４】
2004327149.tif 000006
【図５】
2004327149.tif 000007
【図６】
2004327149.tif 000008
【図７】
2004327149.tif 000009
【図８】
2004327149.tif 000010
【図９】
2004327149.tif 000011
【図１０】
2004327149.tif 000012
【図１１】
2004327149.tif 000013
【図１２】
2004327149.tif 000014
【図１３】
2004327149.tif 000015
【図１４】
2004327149.tif 000016
【図１５】
2004327149.tif 000017
【図１６】
2004327149.tif 000018
【図１７】
2004327149.tif 000019
【図１８】
2004327149.tif 000020
【図１９】
2004327149.tif 000021
【図２０】
2004327149.tif 000022
【図２１】
2004327149.tif 000023
【図２２】
2004327149.tif 000024
【図２３】
2004327149.tif 000025
【図２４】
2004327149.tif 000026
【図２５】
2004327149.tif 000027